(57)【要約】【課題】  特定のサービス特有の修正を通知する際のシステムへの影響は最小とする。【解決手段】  システム情報ブロックへの修正に対しての信号を送るための一般的なページングメッセージを備える移動通信システムにおける修正通知方法であって、前記修正が特定のサービスに特有であるか否かを判定し、前記修正が特定のサービスに特有であれば、前記一般的なページングメッセージの代わりに、前記特定のサービスと関連するページングメッセージを前記サービスが設定された利用者端末にのみ送信する。【選択図】  図６
2005204305.tif 000002
【特許請求の範囲】
【請求項１】
システム情報ブロックへの修正に対しての信号を送るための一般的なページングメッセージを備える移動通信システムにおける修正通知方法であって、
前記修正が特定のサービスに特有であるか否かを判定し、
前記修正が特定のサービスに特有であれば、前記一般的なページングメッセージの代わりに、前記特定のサービスと関連するページングメッセージを前記サービスが設定された利用者端末にのみ送信することを特徴とする移動通信システムにおける修正通知方法。
【請求項２】
前記サービスはＭＢＭＳサービスであり、前記特定のサービスと関連する前記ページングメッセージはＭＢＭＳページングメッセージである請求項１記載の方法。
【請求項３】
置換された前記一般的なページングメッセージは、ＩＥ「ＢＣＣＨ修正情報」ページング・タイプ１・メッセージである請求項２記載の方法。
【請求項４】
ＭＢＭＳが設定された利用者端末に、ＭＢＭＳ・ＰＩＣＨ構成に関するシステム情報ブロックの更新を通知する方法であって、
ＩＥ「ＢＣＣＨ修正情報」ページング・タイプ１メッセージの代わりに、ＭＢＭＳページングメッセージを利用者端末に送信することを含む、ＭＢＭＳが設定された利用者端末に、ＭＢＭＳ・ＰＩＣＨ構成に関するシステム情報ブロックの更新を通知する方法。
【請求項５】
ＭＢＭＳサービスが設定された利用者端末のためのメッセージであって、システム情報ブロックの更新を識別する情報を含むＭＢＭＳページングメッセージ。
【請求項６】
ＳＩＢ情報に対する更新に続いて、修正が特定のサービスに特有であるか否かを判定し、修正が特定のサービスに特有であれば、前記修正に対して利用者端末に通知する一般的なページングメッセージを抑制するＵＴＲＡＮの動作方法。
【請求項７】
前記抑制された一般的なページングメッセージは、ページング・タイプ１・ＩＥ・ＢＣＣＨ修正情報メッセージである請求項６記載の方法。
【請求項８】
前記特定のサービスと関連する利用者端末に別のページングメッセージを送信することをさらに含む請求項６または７記載の方法。
【請求項９】
前記特定のサービスは、ＭＢＭＳサービスである請求項６または７記載の方法。
【請求項１０】
請求項１から４あるいは請求項６から９記載の任意の方法を実行するように構成されたＵＴＲＡＮあるいは他のネットワーク・コンポーネント。
【請求項１１】
請求項１から４あるいは請求項６から９記載の任意の方法を実行するための命令、あるいは請求項５記載のメッセージを供給するための命令を有するコンピュータ・プログラムあるいはコンピュータ・プログラム・プロダクト。
【請求項１２】
本明細書に説明した任意の方法と実質的に同じ方法。
【請求項１３】
本明細書に説明した任意のメッセージと実質的に同じメッセージ。
【請求項１４】
本明細書に説明したと実質的に同じシステム情報における変化に対して特定のサービスの利用者に警告する方法を含む移動通信ネットワークの動作方法。
【請求項１５】
システム情報に対する更新に応答するために、一般的なページングメッセージの代わりに特定のサービスと関連するページングメッセージに応答するように構成された利用者端末。
【発明の詳細な説明】
【技術分野】
【０００１】
本発明は移動通信に関し、特に、第３世代パートナーシップ・プロジェクト（３ＧＰＰ）標準、あるいは、これに相当するものを使用する移動通信に関するが、それのみに限定されるものではない。
【背景技術】
【０００２】
最近、適切な端末の利用者に付加的な機能を提供するマルチメディア・ブロードキャスト・マルチキャスト・サービス（ＭＢＭＳ）が提案されている。このサービスの提供が他の利用者に及ぼす影響を減少させること、特には、マルチメディア・ブロードキャスト・マルチキャスト・サービスを受けるように構成されていない移動端末に及ぼす影響を減少させることに関心が持たれている。
【０００３】
新しいサービスのための構成情報の一部（あるいはすべて）がシステム情報ブロック（ＳＩＢ）上で入手することができ、サービスが再構成されれば、この情報は変化する。本発明はマルチメディア・ブロードキャスト・メッセージ・サービスの場合に特に関係するが、構成情報がＳＩＢで入手することでき、したがって類似した考えが適用される補足的なサービスにも適用できる。
【発明の開示】
【発明が解決しようとする課題】
【０００４】
従来の３ＧＰＰあるいは等価なシステムにおいて、ＳＩＢにおけるシステム情報に対する変化は、アイドルモード、ＵＲＡ状態、およびＣＥＬＬ＿ＰＣＨ状態にあるすべての利用者端末（ＵＥ：User Equipment）に送信される。
【０００５】
したがって、現在の機構では、ＭＢＭＳ・ＰＩＣＨ（あるいはＳＩＢ内の他の情報）内の変化は、非ＭＢＭＳ構成の利用者端末を含むすべての利用者端末（ＵＥ）を呼び出すことになる。
【０００６】
本発明は、この問題を改善しようとするものである。
【課題を解決するための手段】
【０００７】
第１の態様によれば、システム情報ブロックへの修正に対して信号を送るために一般的なページングメッセージを備える移動通信システムにおいて、修正が特定のサービスに特有であるか否かを判定することと、修正が特定のサービスに特有であるときに、一般的なページングメッセージの代わりに、特定のサービスと組み合わされたページングメッセージをサービスを利用するように設定されている利用者端末にのみ送信する。
【０００８】
したがって、ＳＩＢ内の情報はすべての利用者端末で利用でき、その情報の修正はすべての端末に通知される必要の可能性があるが、本発明によれば、特定のサービス特有の修正は特定のサービスと関連する端末にのみ影響を与えることとされ、標準の通知手順は回避される。
【０００９】
推奨具体化例によれば、サービスはＭＢＭＳサービスであり、特定のページングメッセージはＭＢＭＳページングメッセージである。これは、ＩＥ「ＢＣＣＨ修正情報」ページング・タイプ１メッセージを置換することが望ましい。
【００１０】
したがって、推奨具体化例において、本発明は、ＭＢＭＳが設定された利用者端末に、ＭＢＭＳ構成情報に関するＳＩＢの更新を警告する方法を提供し、この方法は、ＩＥ「ＢＣＣＨ修正情報」ページング・タイプ１メッセージの代わりに、ＭＢＭＳページングメッセージを利用者端末に送信することを含んでいる。
【００１１】
ＭＢＭＳ構成情報は、ＭＢＭＳ・ＰＩＣＨ情報であってもよい。
【００１２】
本発明の第２の態様においては、ＭＢＭＳサービスが設定された利用者端末にＳＩＢ更新を識別する情報を含むためのメッセージを通知する。
【００１３】
本発明の第３の態様においては、ＳＩＢ情報に対する更新に続いて、修正が特定のサービスに特有であるか否かを判定し、修正が特定のサービスに特有であれば、修正に対して利用者端末に警告する一般的なページングメッセージを抑止するＵＴＲＡＮ（UMTS Terrestrial Radio Access Network：UMTS地上無線アクセスネットワーク）の動作方法を提供する。抑止される一般的なページングメッセージは、ページング・タイプ１、すなわちＢＣＣＨ修正情報メッセージであることが望ましい。
【００１４】
本発明による方法は、特定のサービスと関連する利用者端末に別のページングメッセージを送信することを、さらに含むことが望ましい。前述の態様のように、特定のサービスはＭＢＭＳサービスであることが望ましい。
【００１５】
本発明の第４の態様によれば、ＵＴＲＡＮあるいは第１あるいは第３の態様による方法を実行するように設定された他のネットワーク構成要素をさらに提供する。
【００１６】
本発明の第５の態様によれば、方法態様のうちの任意の方法を実行するための、あるいは第２の態様のメッセージを提供するための命令を有するコンピュータプログラムあるいはコンピュータプログラムを格納した媒体をさらに提供する。
【００１７】
本発明の第６の態様によれば、システム情報の更新に応答するために、一般的なページングメッセージの代わりの、特定のサービスに関連するページングメッセージに応答するように構成された利用者端末をさらに提供する。
【００１８】
さらに別の態様および望ましい特徴が、特許請求の範囲あるいは推奨実施形態の下記の詳細説明で説明される。
【００１９】
上述のように、３ＧＰＰネットワークにおけるＭＢＭＳの概念について説明したが、本発明は、移動通信人口の一部の人に利用可能であり、また、サービスのための構成情報が、そのサービスに参加しない移動端末によりアクセス可能な他の情報と共通に蓄積されるような、移動通信網におけるサービスの提供に一般的に適用可能である。
【００２０】
当業者には理解されるように、本明細書において使用された専門用語は、３ＧＰＰワーキンググループおよび標準規格制定機関により採用された専門用語であるが、すべての用語は３ＧＰＰ標準あるいは別の標準の、均等なもの、派生したもの、あるいは修正したもの、ならびに発展の結果を網羅するものである。
【００２１】
本発明による実施形態を、例として添付図面を参照して説明する。
【発明の効果】
【００２２】
上記のように構成される本発明によれば、特定のサービス特有の修正は特定のサービスと関連する端末にのみ影響を与えることとされ、標準の通知手順は回避される。このため、特定のサービス特有の修正を通知する際のシステムへの影響は最小となる。
【発明を実施するための最良の形態】
【００２３】
移動通信は、相互運用可能な端末の開発を可能にするために、高度に詳細な技術的仕様書および提案が広範囲にわたり日常的に発表されている分野であり、関連する発表された標準および提案には、当業者は当然精通しているであろうから本明細書では繰り返さないが、参考文献として本明細書に含まれるものと見なされる。特に、３ＧＰＰおよび欧州通信規格協会（ＥＴＳＩ：European Telecommunications Standards Institute）のすべての関連する出版物は、本明細書に含まれていると見なされる。本発明に特に関連するものは、「３ＧＰＰＴＳ２５．３４６（Ｖ２．４．０）無線アクセス・ネットワークにおけるマルチメディア・ブロードキャスト・マルチキャスト・サービス（ＭＢＭＳ）の概論」であり、そのすべての内容は参考文献として本明細書に包含される。この資料は活発に更新されており、本明細書においては２００４年１月１２日の版が参照されているが、変更および修正が予期される。第８．２．１項が、特に関連している。さらに、第８．１．１．７項（ＲＲＣ標準資料２５．３３１）が、有用な背景について関連している。２００４年１月１２日の版のいくつかの項の抜粋が便宜上本明細書に含まれているが、資料全体については当業者は当然ながら修正を含む最新版を参照するであろう。抜粋を引用しているのは、便宜上の参考のためである。
【００２４】
当業者には公知であるが、本明細書に使用されるいくつかの頭字語を、便宜上以下に要約する。
【００２５】
ＭＢＭＳ（Multimedia Broadcast/Multicast Service）−マルチメディア・ブロードキャスト／マルチキャスト・サービス
ＰＩＣＨ（Paging Indication Channel）−ページング表示チャネル
ＳＩＢ（System Information Block）−システム情報ブロック
ＢＣＣＨ（Broadcast Control Channel）−ブロードキャスト制御チャネル
ＰＬＭＮ（Public Land Mobile Control）−公衆陸上移動通信網
ＰＭＭ（Packet Mobility Management）−パケット・モビリィティ管理
背景として、第５．１．５項で述べられているＭＢＭＳ通知を説明する。
【００２６】
ＭＢＭＳ通知は、ＵＥ専用のレリーズ９９ページングの場合にもとづいている。ＵＥは、レリーズ９９ＰＩＣＨフレームの最後の１２ビットで、あるいはＭＢＭＳ特有ＰＩＣＨ内の１つのフレームで、ＭＢＭＳ通知インディケータを受信する。ＭＢＭＳ通知インディケータにもとづいて、ＵＥは、ＭＣＣＨ内のＭＢＭＳ通知の残りを受信するべきか否かを判定する。
【００２７】
実施例では修正可能な現在の既存の提案において、ＭＢＭＳの負荷が低い場合にはレリーズ９９ＰＩＣＨフレームの最後の１２ビットを利用し、ＭＢＭＳ負荷が高い場合にはＭＢＭＳ特有のＰＩＣＨをセル内に構成することが可能である。
【００２８】
ＵＴＲＡＮは、少なくともセル内のＭＢＭＳに加入したＵＥにより使用された最長のＤＲＸサイクルの間、ＰＩＣＨフレーム内でＭＢＭＳ通知する指示を定期的に（１２ビットか、あるいはＭＢＭＳ特有ＰＩＣＨ内のフレーム）繰り返すべきであり、したがってＭＢＭＳに加入したＵＥがＰＩＣＨからＭＢＭＳ通知の指示を少なくとも１回受信したことを保証する。
【００２９】
物理チャネルは、第６．２．３項で説明する。
【００３０】
ＳＣＣＰＣＨは、物理チャネルとして使用される。
【００３１】
本実施形態では、システム情報ブロックへの修正を通知する際に、修正が特定のサービスに特有であるか否かを判定し、修正が特定のサービスに特有であれば、一般的なページングメッセージの代わりに、特定のサービスと関連するページングメッセージをサービスが設定された利用者端末にのみ送信することが行なわれる。
【００３２】
この場合のサービスはＭＢＭＳサービスであり、特定のサービスと関連するページングメッセージはＭＢＭＳページングメッセージであるとしてもよい。
【００３３】
また、置換された前記一般的なページングメッセージは、ＩＥ「ＢＣＣＨ修正情報」ページング・タイプ１・メッセージであるとしてもよい。
【００３４】
本発明の他の実施形態では、ＭＢＭＳが設定された利用者端末に、ＭＢＭＳ・ＰＩＣＨ構成に関するシステム情報ブロックの更新を通知する際に、ＩＥ「ＢＣＣＨ修正情報」ページング・タイプ１メッセージの代わりに、ＭＢＭＳページングメッセージを利用者端末に送信する。
【００３５】
本発明にはＭＢＭＳサービスが設定された利用者端末のためのメッセージであって、システム情報ブロックの更新を識別する情報を含むＭＢＭＳページングメッセージが含まれる。
【００３６】
また、本発明には、ＳＩＢ情報に対する更新に続いて、修正が特定のサービスに特有であるか否かを判定し、修正が特定のサービスに特有であれば、前記修正に対して利用者端末に通知する一般的なページングメッセージを抑制するＵＴＲＡＮの動作方法も含まれる。
【００３７】
この場合、抑制された一般的なページングメッセージは、ページング・タイプ１・ＩＥ・ＢＣＣＨ修正情報メッセージであるとしてもよい。
【００３８】
また、特定のサービスと関連する利用者端末に別のページングメッセージを送信することをさらに含むこととしてもよい。
【００３９】
また、特定のサービスは、ＭＢＭＳサービスであることが望ましい。
【００４０】
また、本発明には上記のいずれかの方法を実行するように構成されたＵＴＲＡＮあるいは他のネットワーク・コンポーネント。
【００４１】
また、本発明には上記のいずれかの方法を実行するための命令、あるいはメッセージを供給するための命令を有するコンピュータ・プログラムあるいはコンピュータ・プログラム・プロダクトも含まれる。
【００４２】
また、本発明には本明細書に説明したと実質的に同じシステム情報における変化に対して特定のサービスの利用者に警告する方法を含む移動通信ネットワークの動作方法も含まれる。
【００４３】
また、本発明にはシステム情報に対する更新に応答するために、一般的なページングメッセージの代わりに特定のサービスと関連するページングメッセージに応答するように構成された利用者端末も含まれる。
【００４４】
図１に示すように、ＭＢＭＳ通知は、負荷の低いＭＢＭＳセル内のレリーズ９９ＰＩＣＨフレームの利用可能な１２ビットを使用する。正確なコーディングは特定の具体化例に対して決定すべきことである。
【００４５】
ＭＢＭＳ通知は、高いＭＢＭＳ負荷セル内ではＭＢＭＳ特有のＰＩＣＨを使用する。ＭＢＭＳ特有のＰＩＣＨフレームを図２に示す。正確なコーディングは特定の具体例に対して決定すべきである。
【００４６】
ここで２００４年１月１３日版の第８．２項を参照して、ＭＢＭＳ・Ｕｕ信号の流れを説明すると、第８．２．１項でＭＢＭＳシステム情報のブロードキャストに対する既存の提案を説明している。図３から図５は、ＵＥとＣＲＮＣ（Controlling Radio Network Controller）との間の信号の流れを示す。
【００４７】
この信号の流れは、ＰＭＭ・ＩＤＬＥおよびＣＯＮＮＥＣＴＥＤモードのＵＥに対してＭＢＭＳを扱うために適用できる。
【００４８】
この信号の流れの目的は、ＢＣＣＨを使用してＵＴＲＡＮがＵＥにＭＢＭＳシステム情報をブロードキャストすることである。ＭＢＭＳシステム情報は、その最初の送信の後に繰り返して送信される。最初のＭＢＭＳシステム情報を受信すると、ＵＥはＭＣＣＨを搬送する無線ベアラーを確立する。
【００４９】
ＭＢＭＳシステム情報は下記を含む。
【００５０】
−ＭＣＣＨを運ぶ無線ベアラーの構成
ＭＢＭＳシステム情報［ＦＦＳ］には、より多くの情報を含むことが可能である。
【００５１】
第８．２．２項は、ＭＢＭＳサービス情報を説明している。
【００５２】
この信号の流れは、ＰＭＭ・ＩＤＬＥおよびＣＯＮＮＥＣＴＥＤモードのＵＥに対してＭＢＭＳを扱うために適用できる。
【００５３】
この信号の流れの目的は、１つのセル内で利用可能なＭＢＭＳサービスのすべてを、ＲＮＣがＵＥに通知することである。ＭＢＭＳサービス情報メッセージは、ＭＢＭＳサービスのモビリィティをサポートするために、周期的に送信される。
【００５４】
ＭＢＭＳサービス情報メッセージは、ＭＢＭＳサービスＩＤおよびｐｔｍ（Point To Multipoint）表示を含んでいる。ＭＢＭＳサービスＩＤは、セル内でサービス中のＭＢＭＳサービス、あるいは、ＵＥがリクエストすればサービス可能なＭＢＭＳサービスを示す。ｐｔｍ表示は、ＭＢＭＳサービスがセル内でｐｔｍであることを示す。したがって、ＭＢＭＳ無線ベアラー情報メッセージの受信が必要であることをＵＥに通知する。ＭＢＭＳサービス情報メッセージには、より多くの情報が含まれることが予想される。
【００５５】
第８．２．３項は、ＭＢＭＳ無線ベアラー情報を説明する。
【００５６】
この信号の流れは、ＩＤＬＥおよびＰＭＭ・ＣＯＮＮＥＣＴＥＤモードのＵＥに対してＭＢＭＳを扱うために適用できる。
【００５７】
この信号の流れの目的は、ＭＴＣＨ無線ベアラー情報に関して、ＲＮＣがＵＥに通知することである。ＭＢＭＳ無線ベアラー情報は、ｐ−ｔ−ｍ送信に対してのみ利用可能である。ＭＢＭＳ無線ベアラー情報は、ＭＢＭＳサービスＩＤ、ＭＢＭＳ・ＵＴＲＡＮセルグループ識別子、論理チャネル、トランスポート・チャネル、およびＭＢＭＳサービス毎の物理チャネル情報を含んでいる。ＭＢＭＳ・ＵＴＲＡＮセルグループ識別子は、どのＭＢＭＳセルグループにセルが関係しているかをＵＥに示すために使用される。ＭＢＭＳ無線ベアラー情報には、より多くの情報を含むことが可能である。
【００５８】
ここで図６から図７を参照して、本発明について説明する。
【００５９】
既存の提案において、ＲＲＣページング・タイプ１のＩＥ「ＢＣＣＨ修正情報」は、ＳＩＢ情報が変化したことを、Ｉｄｌｅ、ＵＲＡおよびＣＥＬＬ＿ＰＣＨ状態のＵＥに通知するために使用される。これは、セル内のすべてのＵＥと、ある場合にはＰＬＭＮ全体をページングすることを必要とする。ＭＢＭＳ・ＰＩＣＨの変化をＵＥに通知するために使用される既存の方法は、非ＭＢＭＳ利用者端末が不必要にページングされることを、本発明者は十分理解した。非ＭＢＭＳ利用者端末には、影響を最小限度に留めることが望ましい。図６および図７を参照した以下の説明は、非ＭＢＭＳ利用者端末への影響を最小限度に留めることが、ＭＢＭＳページング手順に対する新規な機能性向上により実現できる方法を示す。
【００６０】
既存のＳＩＢ修正手順に類似のＳＩＢ修正ＩＥを含むようにＭＢＭＳページングメッセージを拡張することによって、ＭＢＭＳ・ＳＩＢ情報の変化がＭＢＭＳ利用者端末に確実に通知されることを保証することが可能である。一方、非ＭＢＭＳ利用者端末は、ＳＩＢの変化に影響されない。上述の利点にもかかわらず、このような修正がネットワークに及ぼす影響は最小となる。
【００６１】
非ＭＢＭＳ利用者端末に対する影響を絶対最小に維持することを保証するために、あらゆる努力をするべきであることが、重要である。
【００６２】
以上説明したように、ＭＢＭＳ・ＳＩＢ修正の場合には、最小の影響でＭＢＭＳページング手順を使用することができる。したがって、ＭＢＭＳ特有のＳＩＢパラメタの変化をＵＥに警告するために、これを使用する。
【００６３】
前述の項は、非ＭＢＭＳ利用者端末に何等影響を与えずに、ＳＩＢについてのＭＢＭＳ特有の情報に関する変化をＭＢＭＳ利用者端末に警告する可能性を示す。既存の提案についても説明したが、本実施形態によって既存の提案に対する変更を説明することが最も直接的であると考えられる。
【００６４】
ＭＢＭＳシステム情報の別のブロードキャストを示す図７にもとづいて、第８．２項ＭＢＭＳ・Ｕｕ信号の流れおよび、第８．２．１項ＭＢＭＳシステム情報のブロードキャストが修正されるべきである。
【００６５】
この信号の流れは、ＰＭＭ・ＩＤＬＥおよびＣＯＮＮＥＣＴＥＤモードのＵＥに対してＭＢＭＳを扱うために適用できる。
【００６６】
この信号の流れの目的は、ＭＢＭＳシステム情報をＵＴＲＡＮがＵＥにＢＣＣＨを使用してブロードキャストすることである。ＭＢＭＳシステム情報は、最初の送信の後に繰り返して送信される。最初のＭＢＭＳシステム情報を受信すると、ＵＥはＭＣＣＨを運ぶ無線ベアラーを確立する。
【００６７】
ＭＢＭＳシステム情報は以下を含む。
【００６８】
−ＭＣＣＨを運ぶ無線ベアラーの設定
−オプションのＭＢＭＳ特有ＰＩＣＨチャネルの設定
非ＭＢＭＳ・ＳＩＢエレメントが変化していない場合には、ＳＩＢについてのＭＢＭＳ特有の情報の再設定では、非ＭＢＭＳ利用者端末のページングをすべきではない。ＭＢＭＳ利用者端末は、ＭＢＭＳ特有の信号を介して変化を通知される。
【００６９】
上記の説明は、他の利用者に対する影響を最小限度に抑えるために、３ＧＰＰ提案規格に準拠するネットワーク内の特有のサービス（ＭＢＭＳ）が、本発明を使用して改良される特定の実施形態に集中している。しかし、以上説明したように、本発明はこの具体的な例に限定されるものではない（このような場合には本発明は特別の利点を与えるが）。他のシステムに適用する場合には、十分理解しうるように、本システムの対応する部分に類似の修正を加えることが可能である。特に説明のない限り、各々の特徴あるいは原理は独立に適用することができる。
【図面の簡単な説明】
【００７０】
【図１】ＭＢＭＳ通告で使用されるレリーズ９９ＰＩＣＨフレーム・ビットを示す図である。
【図２】ＭＢＭＳ通告で使用されるＭＢＭＳ特有のＰＩＣＨフレームを示す図である。
【図３】ＭＢＭＳシステム情報のブロードキャストを示す図である。
【図４】ＭＢＭＳサービス情報信号の流れを示す図である。
【図５】ＭＢＭＳ無線ベアラー情報信号の流れを示す図である。
【図６】ＭＢＭＳシステム情報修正手順の１実施例を示す図である。
【図７】ＭＢＭＳシステム情報のブロードキャストの１実施例を示す図である。
【図１】
2005204305.tif 000003
【図２】
2005204305.tif 000004
【図３】
2005204305.tif 000005
【図４】
2005204305.tif 000006
【図５】
2005204305.tif 000007
【図６】
2005204305.tif 000008
【図７】
2005204305.tif 000009